(57)【特許請求の範囲】
【請求項１】
第１の削孔現場において前方地山に対しノンコア削孔を行いつつそのときの削孔速度Ｖを計測するとともに、該ノンコア削孔が行われた経路に沿うトンネル掘削を行いながら切羽の観察を行い、掘削完了後、前記切羽の観察結果に基づいて地山の性状が一定であるとみなし得るトンネル区間を距離減衰算出区間として決定し、該距離減衰算出区間における単位距離あたりの前記削孔速度の低下量を距離減衰比ΔｋＶとして評価することを特徴とするノンコア削孔における削孔速度の距離減衰評価方法。
【請求項２】
第２の削孔現場においてノンコア削孔を行いつつそのときの削孔速度Ｖを計測し、該削孔速度及び請求項１記載の距離減衰比ΔｋＶを、次式、
Ｖ′＝Ｖ＋Ｌ・ΔｋＶ
Ｖ  ；ノンコア削孔における削孔速度
Ｌ  ；削孔速度Ｖが得られたときの掘削深度
Ｖ′；距離減衰で補正された削孔速度
に代入することにより、距離減衰で補正された削孔速度Ｖ′を算出することを特徴とするトンネル切羽の前方探査方法。
【請求項３】
第３の削孔現場においてノンコア削孔を行いつつそのときのフィード圧Ｆ1と削孔速度Ｖ1とを計測し、該削孔速度及び請求項１記載の距離減衰比ΔｋＶを、次式、
Ｖ′1＝Ｖ1＋Ｌ・ΔｋＶ
Ｖ1  ；ノンコア削孔における削孔速度
Ｌ  ；削孔速度Ｖ1が得られたときの掘削深度
Ｖ′1；距離減衰で補正された削孔速度
に代入することにより、距離減衰で補正された削孔速度Ｖ′1を算出し、前記フィード圧Ｆ1の変動量ΔＦ1と該変動量に対応する前記削孔速度Ｖ′1の変動量ΔＶ′1とを回帰分析して相関曲線を作成することを特徴とするトンネル切羽の前方探査方法。
【請求項４】
第４の削孔現場においてノンコア削孔を行いつつそのときのフィード圧Ｆ2と削孔速度Ｖ2とを計測し、該削孔速度及び請求項１記載の距離減衰比ΔｋＶを、次式、
Ｖ′2＝Ｖ2＋Ｌ・ΔｋＶ
Ｖ2  ；ノンコア削孔における削孔速度
Ｌ  ；削孔速度Ｖ2が得られたときの掘削深度
Ｖ′2；距離減衰で補正された削孔速度
に代入することにより、距離減衰で補正された削孔速度Ｖ′2を算出し、前記フィード圧Ｆ2の基準フィード圧からの差分ΔＦ2を算出して該差分ΔＦ2を請求項３記載の相関曲線に適用することにより、削孔速度の変動量ΔＶ′2を算出し、該変動量を前記削孔速度Ｖ′2に加算又は減算して修正削孔速度Ｖ′2Rを算出することを特徴とするトンネル切羽の前方探査方法。
【請求項５】
請求項４記載の修正削孔速度Ｖ′2Rを、それらの値が０から１となるように正規化して正規化削孔速度比Ｖ′2Nを算出し、前記正規化削孔速度比Ｖ′2N及びそのばらつきを前記第４の削孔現場の地山区分に対応付けることで地山区分評価テーブルを作成することを特徴とするトンネル切羽の前方探査方法。
【請求項６】
第５の削孔現場においてノンコア削孔を行いつつそのときのフィード圧Ｆ3と削孔速度Ｖ3とを計測し、該削孔速度及び請求項１記載の距離減衰比ΔｋＶを、次式、
Ｖ′3＝Ｖ3＋Ｌ・ΔｋＶ
Ｖ3  ；ノンコア削孔における削孔速度
Ｌ  ；削孔速度Ｖ3が得られたときの掘削深度
Ｖ′3；距離減衰で補正された削孔速度
に代入することにより、距離減衰で補正された削孔速度Ｖ′3を算出し、前記フィード圧Ｆ3の基準フィード圧からの差分ΔＦ3を算出し、前記差分ΔＦ3を、請求項３記載の相関曲線に適用することにより、削孔速度の変動量ΔＶ′3を算出し、該変動量を前記削孔速度Ｖ′3に加算又は減算して修正削孔速度Ｖ′3Rを算出し、前記修正削孔速度Ｖ′3Rを、それらの値が０から１となるように正規化して正規化削孔速度比Ｖ′3Nを算出し、該正規化削孔速度比及びそのばらつきを、請求項５記載の地山区分評価テーブルに適用することで、前記第５の削孔現場における地山区分を推測することを特徴とするトンネル切羽の前方探査方法。
【発明の詳細な説明】
【技術分野】
【０００１】
本発明は、主として山岳トンネルの地山を掘削する際に採用される削孔速度の距離減衰評価方法及びそれを用いたトンネル切羽の前方探査方法に関する。
【背景技術】
【０００２】
山岳トンネルを掘削するにあたり、切羽前方に拡がる地山の性状を適切かつ高い精度で把握することは、支保工及び補助工を含めた掘削工事全体を効率よくかつ安全に進めていく上で非常に重要である。
【０００３】
トンネル切羽前方探査を行う技術として、ドリルジャンボ（パーカッション型削孔機）やノンコア先進ボーリングマシン（ロータリー・パーカッション型削孔機）を利用したノンコア削孔による穿孔探査が知られている。
【０００４】
これらの削孔機は、打撃ピストンで発生させた打撃エネルギーをロッドを介して先端の掘削ビットに伝達し、該掘削ビットで岩盤を削孔するようになっているが、削孔の際、削孔速度（掘進速度）、フィード圧（給進力）、打撃数、打撃エネルギーといった削孔パラメータを計測できるようになっており、これらのうち、削孔速度の大小、あるいは削孔速度、打撃数、打撃エネルギーなどから算出される削孔エネルギーの大小から前方地山の良否を判断することができる。
【０００５】
ここで、上述の方法においては、削孔速度は、フィード圧、すなわち削孔機のロッドを地山に押し付ける圧力に左右されるため、地山を客観的に評価するには、フィード圧を一定にする必要があるところ、地山によっては、フィード圧を一定に維持することが難しい。
【０００６】
この場合、フィード圧の変動の影響が削孔速度に含まれてしまうため、地山の良否を適切に判定できなくなる懸念があるが、本出願人は、フィード圧Ｆの変動量ΔＦと削孔速度Ｖの変動量ΔＶとの間には相関関係があることに着眼し、この相関関係から回帰分析を行って相関曲線を作成するとともに、該相関曲線にフィード圧の変動量ΔＦを適用して削孔速度Ｖの変動量ΔＶを算出することにより、フィード圧の変動を考慮した形で削孔速度を修正することに成功した（特許文献１）。
【先行技術文献】
【特許文献】
【０００７】
【特許文献１】特開２００８−１５６８２４号公報
【非特許文献】
【０００８】
【非特許文献１】「長尺さく孔におけるさく孔深さの影響」（「資源と素材」、vol.120,p146-151(2004)）
【非特許文献２】「さく孔深さの影響を考慮した長尺さく孔データと岩盤特性の関係に関する検討」（「資源と素材」、vol.120,p508-514(2004)）
【発明の概要】
【発明が解決しようとする課題】
【０００９】
上述した手法によれば、フィード圧の変動を考慮した形で削孔速度を求めることができるので、前方地山の良否判定における信頼性を高めることが可能となり、５０ｍ程度を掘進する油圧ジャンボでは、実際のトンネル探査においてもその有用性が確認されている。
【００１０】
一方、ノンコア削孔による穿孔探査では、長さ数ｍのロッド部材を継ぎ足して全体のロッドを構成するようになっているため、例えばノンコア先進ボーリングマシンを用いて１５０〜２００ｍ先を前方探査するときには、継ぎ足されるロッド部材の本数が多くなる。
【００１１】
そのため、ロッド部材同士の連結箇所で消費される打撃エネルギーのロスやロッドと孔壁との摩擦が大きくなり、削孔速度の低下、いわゆる距離減衰が無視できなくなる。
【００１２】
すなわち、掘削深度が大きくなると、計測される削孔速度に距離減衰による変動要因が含まれることとなり、例えば削孔機側で削孔速度が小さく計測された場合、地山が良好であるのか、それとも本来は地山が良好ではないのに、距離減衰のために小さくなっているだけなのかを明確に区別することができないという問題を生じていた。ちなみに、距離減衰による削孔速度変動の問題を確率論的手法に基づいて処理する試みがなされているが、実用性には問題が残る。
【課題を解決するための手段】
【００１３】
本発明は、上述した事情を考慮してなされたもので、掘削深度が大きい場合であっても、地山の良否を適切に判定することが可能な削孔速度の距離減衰評価方法及びそれを用いたトンネル切羽の前方探査方法を提供することを目的とする。
【００１４】
上記目的を達成するため、本発明に係る削孔速度の距離減衰評価方法は請求項１に記載したように、第１の削孔現場において前方地山に対しノンコア削孔を行いつつそのときの削孔速度Ｖを計測するとともに、該ノンコア削孔が行われた経路に沿うトンネル掘削を行いながら切羽の観察を行い、掘削完了後、前記切羽の観察結果に基づいて地山の性状が一定であるとみなし得るトンネル区間を距離減衰算出区間として決定し、該距離減衰算出区間における単位距離あたりの前記削孔速度の低下量を距離減衰比ΔｋＶとして評価するものである。
【００１５】
また、本発明に係るトンネル切羽の前方探査方法は、第２の削孔現場においてノンコア削孔を行いつつそのときの削孔速度Ｖを計測し、該削孔速度及び請求項１記載の距離減衰比ΔｋＶを、次式、
Ｖ′＝Ｖ＋Ｌ・ΔｋＶ
Ｖ  ；ノンコア削孔における削孔速度
Ｌ  ；削孔速度Ｖが得られたときの掘削深度
Ｖ′；距離減衰で補正された削孔速度
に代入することにより、距離減衰で補正された削孔速度Ｖ′を算出するものである。
【００１６】
また、本発明に係るトンネル切羽の前方探査方法は、第３の削孔現場においてノンコア削孔を行いつつそのときのフィード圧Ｆ1と削孔速度Ｖ1とを計測し、該削孔速度及び請求項１記載の距離減衰比ΔｋＶを、次式、
Ｖ′1＝Ｖ1＋Ｌ・ΔｋＶ
Ｖ1  ；ノンコア削孔における削孔速度
Ｌ  ；削孔速度Ｖ1が得られたときの掘削深度
Ｖ′1；距離減衰で補正された削孔速度
に代入することにより、距離減衰で補正された削孔速度Ｖ′1を算出し、前記フィード圧Ｆ1の変動量ΔＦ1と該変動量に対応する前記削孔速度Ｖ′1の変動量ΔＶ′1とを回帰分析して相関曲線を作成するものである。
【００１７】
また、本発明に係るトンネル切羽の前方探査方法は、第４の削孔現場においてノンコア削孔を行いつつそのときのフィード圧Ｆ2と削孔速度Ｖ2とを計測し、該削孔速度及び請求項１記載の距離減衰比ΔｋＶを、次式、
Ｖ′2＝Ｖ2＋Ｌ・ΔｋＶ
Ｖ2  ；ノンコア削孔における削孔速度
Ｌ  ；削孔速度Ｖ2が得られたときの掘削深度
Ｖ′2；距離減衰で補正された削孔速度
に代入することにより、距離減衰で補正された削孔速度Ｖ′2を算出し、前記フィード圧Ｆ2の基準フィード圧からの差分ΔＦ2を算出して該差分ΔＦ2を請求項３記載の相関曲線に適用することにより、削孔速度の変動量ΔＶ′2を算出し、該変動量を前記削孔速度Ｖ′2に加算又は減算して修正削孔速度Ｖ′2Rを算出するものである。
【００１８】
また、本発明に係るトンネル切羽の前方探査方法は、請求項４記載の修正削孔速度Ｖ′2Rを、それらの値が０から１となるように正規化して正規化削孔速度比Ｖ′2Nを算出し、前記正規化削孔速度比Ｖ′2N及びそのばらつきを前記第４の削孔現場の地山区分に対応付けることで地山区分評価テーブルを作成するものである。
【００１９】
また、本発明に係るトンネル切羽の前方探査方法は、第５の削孔現場においてノンコア削孔を行いつつそのときのフィード圧Ｆ3と削孔速度Ｖ3とを計測し、該削孔速度及び請求項１記載の距離減衰比ΔｋＶを、次式、
Ｖ′3＝Ｖ3＋Ｌ・ΔｋＶ
Ｖ3  ；ノンコア削孔における削孔速度
Ｌ  ；削孔速度Ｖ3が得られたときの掘削深度
Ｖ′3；距離減衰で補正された削孔速度
に代入することにより、距離減衰で補正された削孔速度Ｖ′3を算出し、前記フィード圧Ｆ3の基準フィード圧からの差分ΔＦ3を算出し、前記差分ΔＦ3を、請求項３記載の相関曲線に適用することにより、削孔速度の変動量ΔＶ′3を算出し、該変動量を前記削孔速度Ｖ′3に加算又は減算して修正削孔速度Ｖ′3Rを算出し、前記修正削孔速度Ｖ′3Rを、それらの値が０から１となるように正規化して正規化削孔速度比Ｖ′3Nを算出し、該正規化削孔速度比及びそのばらつきを、請求項５記載の地山区分評価テーブルに適用することで、前記第５の削孔現場における地山区分を推測するものである。
【００２０】
前方地山が遠くなるにつれて削孔速度が低下する問題は上述したように、ロッド部材の連結箇所におけるエネルギー消費やロッドと孔壁との摩擦が原因となっているが、本出願人は、そのような原因状況をシュミレーションしたり確率論的手法で処理するのではなく、ノンコア削孔で得られた削孔速度がそもそも地山の良否を示す指標であることに立ち戻り、トンネル切羽の観察結果とその切羽の前方地山に対して行われたノンコア削孔時の削孔速度とを互いに関連付けることに着眼したものである。
【００２１】
すなわち、本発明に係る削孔速度の距離減衰評価方法においては、まず、第１の削孔現場において前方地山に対しノンコア削孔を行いつつそのときの削孔速度を計測するとともに、該ノンコア削孔が行われた経路に沿うトンネル掘削を行いながら切羽の観察を行う。
【００２２】
トンネル掘削は、基本的にはノンコア削孔完了後に行われるが、例えば削孔機の据付位置を定位置のまま維持することで、切羽が前進してもノンコア掘削深度に影響がないのであれば、必ずしもノンコア削孔の作業完了を待たずに、ノンコア削孔を追いかけるように行ってもかまわない。
【００２３】
切羽を観察する手法としては、ハンマー打撃による圧縮強度の推定、風化変質、割れ目の状態や頻度あるいは方向性、湧水、水による劣化などを評価項目とし、必要に応じてそれらの評価項目に重み付けを行った後、総合的な評価点を付けるといった方法が考えられる。
【００２４】
トンネル掘削及びそれに伴う切羽の観察が完了したならば、次に、切羽の観察結果に基づいて地山の性状が一定であるとみなし得るトンネル区間を距離減衰算出区間として決定する。
【００２５】
削孔速度は言うまでもなく地山の良否を示す指標であって、それゆえ距離減衰という変動要因が仮にないとすれば、地山性状が一定である限り、掘削深度が大きくなってもその値に変化はないはずである。逆に言えば、地山の性状が一定であるのに削孔速度が変化したということであれば、その変化は、距離減衰に起因するものであると考えることができる。
【００２６】
上述した距離減衰算出区間の決定プロセスはかかる考え方を実践するための前作業であって、地山の性状が一定である範囲を見つけ出し、その範囲における削孔速度の低下割合を評価することによって、距離減衰を定量的に把握することが可能となる。
【００２７】
距離減衰算出区間の決定は、切羽の観察を例えば上述した評価点方式で行った場合であれば、横軸に距離（掘削深度）を、縦軸に評価点をとってプロットしたグラフを用いることで、適切に行うことができる。
【００２８】
距離減衰算出区間が決定されたならば、次に、その区間における単位距離あたりの削孔速度の低下量を距離減衰比として評価する。すなわち、距離減衰算出区間が定まれば、計測された削孔速度データと照合することにより、その区間内における削孔速度の変化がわかるので、その変化の度合いから単位距離あたりの削孔速度の低下量を算出すればよい。
【００２９】
例えば距離減衰算出区間の区間長が２００ｍ、その区間にわたる削孔速度の低下量が０．５ｍ／ｍｉｎであれば、上述した距離減衰比ΔｋＶは、
ΔｋＶ＝０．００２５ｍ／ｍｉｎ・ｍ
となる。
【００３０】
ここで、距離減衰比ΔｋＶは、ロッド部材同士の連結箇所におけるエネルギーロス、ロッドと孔壁との摩擦その他ロッドに起因した削孔速度の単位低下量であって、地山の良否の影響は除外されている。
【００３１】
そのため、第２の削孔現場においてノンコア削孔を行う際、そのロッドの仕様を、距離減衰比ΔｋＶが算出されたときのロッドの仕様に合わせるようにすれば、該距離減衰比を第２の削孔現場における地山にも適用することが可能となり、次式、
Ｖ′＝Ｖ＋Ｌ・ΔｋＶ
Ｖ  ；第２の削孔現場で得られたノンコア削孔の削孔速度
Ｌ  ；削孔速度Ｖが得られたときの掘削深度
Ｖ′；距離減衰で補正された削孔速度
に代入することで、距離減衰で補正された削孔速度Ｖ′を算出することができる。
【００３２】
ロッドの仕様には、継ぎ足されるロッド部材の長さなどのロッド長に関連した仕様や、ロッドの外径などの孔壁との摩擦に関連した仕様が含まれる。
【００３３】
ここで、距離減衰比ΔｋＶは上述したように地山に依存しない値であるため、あらたに削孔速度の補正が行われる削孔現場が、距離減衰比ΔｋＶを算出した削孔現場と異なるかどうかは問わないが、説明の便宜のため、以下、距離減衰比ΔｋＶが算出された削孔現場を第１の削孔現場、あらたに削孔速度の距離減衰補正を行いたい削孔現場を第２の削孔現場と呼ぶことにする。
【００３４】
距離減衰比ΔｋＶは、ノンコア削孔で計測された削孔速度を距離減衰補正するものであるとともに、削孔速度そのものは、従来から地山の良否を判定する指標として知られているため、距離減衰比ΔｋＶを用いた削孔速度補正をトンネル切羽の前方探査手法としてそのまま採用することが可能であるが、フィード圧の変動による削孔速度への影響を考慮すべく、フィード圧の変動量と該変動量に対応する削孔速度の変動量とを関連付けた相関曲線を作成し、その相関曲線を用いて削孔速度を修正し、その修正削孔速度を用いて地山区分評価テーブルを作成し、あるいはそれらから地山区分を推測する場合には、それぞれ上述した距離減衰補正を行うことができる。
【００３５】
すなわち、上述した相関曲線を作成するには、まず、第３の削孔現場でノンコア削孔を行いつつそのときのフィード圧Ｆ1と削孔速度Ｖ1とを計測し、そのときの削孔速度Ｖ1を上述した距離減衰比ΔｋＶを用いて補正し、これを削孔速度Ｖ′1とした後、フィード圧Ｆ1の変動量ΔＦ1と該変動量に対応する削孔速度Ｖ′1の変動量ΔＶ′1とを回帰分析して相関曲線を作成すればよい。
【００３６】
このようにすれば、削孔速度が距離減衰で補正された上、相関曲線が作成されるため、フィード圧の変動による削孔速度への影響をさらに適切に評価することが可能となる。
【００３７】
相関曲線が作成される削孔現場についても、第１の削孔現場や第２の削孔現場との異同は不問であるが、説明の便宜上、以下、第３の削孔現場と呼ぶことにする。
【００３８】
また、上述の相関曲線を用いて削孔速度を修正するには、まず、ノンコア削孔を行いつつそのときのフィード圧Ｆ2と削孔速度Ｖ2とを計測し、そのときの削孔速度Ｖ2を上述した距離減衰比ΔｋＶを用いて補正し、これを削孔速度Ｖ′2とするとともに、フィード圧Ｆ2の基準フィード圧からの差分ΔＦ2を算出して該差分ΔＦ2を、第３の削孔現場で作成された相関曲線に適用することにより、削孔速度の変動量ΔＶ′2を算出した後、該変動量を削孔速度Ｖ′2に加算又は減算して修正削孔速度Ｖ′2Rを算出する。
【００３９】
このようにすれば、距離減衰で補正された削孔速度に相関曲線で得られた変動量が加算あるいは減算されるため、修正削孔速度の信頼性が格段に向上する。
【００４０】
修正削孔速度Ｖ′2Rが算出される削孔現場についても、第１乃至第３の削孔現場との異同は不問であるが、説明の便宜上、以下、第４の削孔現場と呼ぶことにする。
【００４１】
ここで、修正削孔速度Ｖ′2Rを、それらの値が０から１となるように正規化して正規化削孔速度比Ｖ′2Nを算出し、該正規化削孔速度比Ｖ′2N及びそのばらつきを第４の削孔現場の地山区分に対応付けることで地山区分評価テーブルを作成しておけば、距離減衰で補正された削孔速度に基づいて正規化削孔速度比Ｖ′2Nが算出されるため、地山区分評価テーブルの信頼性が向上するとともに、後述する第５の削孔現場で地山区分を適切に予測することが可能となる。
【００４２】
また、第５の削孔現場で地山区分を予測するには、まず、ノンコア削孔を行いつつそのときのフィード圧Ｆ3と削孔速度Ｖ3とを計測し、そのときの削孔速度Ｖ3を上述した距離減衰比ΔｋＶを用いて補正し、これを削孔速度Ｖ′3とするとともに、フィード圧Ｆ3の基準フィード圧からの差分ΔＦ3を算出して該差分ΔＦ3を、第３の削孔現場で作成された相関曲線に適用することにより、削孔速度の変動量ΔＶ′3を算出する。
【００４３】
次に、変動量ΔＶ′3を削孔速度Ｖ′3に加算又は減算して修正削孔速度Ｖ′3Rを算出する。
【００４４】
次に、修正削孔速度Ｖ′3Rを、それらの値が０から１となるように正規化して正規化削孔速度比Ｖ′3Nを算出し、該正規化削孔速度比及びそのばらつきを、第４の削孔現場で作成された地山区分評価テーブルに適用することで、第５の削孔現場における地山区分を推測する。
【００４５】
このようにすれば、距離減衰で補正された削孔速度に基づいて正規化削孔速度比Ｖ′3Nが作成されるため、地山区分評価テーブルに適用する際の精度が高くなり、その結果、地山区分の推測結果に対する信頼性が格段に向上する。
【００４６】
なお、地山区分が推測される削孔現場についても、第１乃至第４の削孔現場との異同は不問であるが、説明の便宜上、第５の削孔現場と呼ぶことにする。
【図面の簡単な説明】
【００４７】
【図１】第１実施形態に係る削孔速度の距離減衰評価方法の実施手順を示したフローチャート。
【図２】同じくそれが適用される地山での作業を示した側面図。
【図３】ノンコア削孔で得られた削孔速度を示したグラフであり、(a)は補正前の削孔速度Ｖを切羽の観察結果とともに示したグラフ、(b)は補正後の削孔速度Ｖ′を補正前の削孔速度Ｖとともに示したグラフ。
【図４】第２実施形態に係るトンネル切羽の前方探査方法の実施手順を示したフローチャート。
【図５】第３実施形態に係るトンネル切羽の前方探査方法の実施手順を示したフローチャート。
【図６】フィード圧の変動量とそれに対応する削孔速度の変動量との相関関係を示したグラフ。
【図７】第４実施形態に係るトンネル切羽の前方探査方法の実施手順を示したフローチャート。
【図８】第５実施形態に係るトンネル切羽の前方探査方法の実施手順を示したフローチャート。
【発明を実施するための形態】
【００４８】
以下、本発明に係る削孔速度の距離減衰評価方法及びそれを用いたトンネル切羽の前方探査方法の実施の形態について、添付図面を参照して説明する。なお、従来技術と実質的に同一の部品等については同一の符号を付してその説明を省略する。
【００４９】
（第１実施形態）
図１は、本実施形態に係る削孔速度の距離減衰評価方法の実施手順を示したフローチャート、図２はそれが適用される第１の削孔現場での作業を示した側面図である。これらの図でわかるように、本実施形態に係る削孔速度の距離減衰評価方法においては、まず、第１の削孔現場においてノンコア先進ボーリングマシン等の削孔機２２をトンネル２１内に配置し、該削孔機を用いて切羽２３の前方地山２４に対するノンコア削孔を行うとともに、そのときの削孔速度Ｖを計測する（ステップ１０１）。
【００５０】
削孔機２２は、ロッド２５の基端側に衝撃力を加えることで、該ロッドの先端に設けられた掘削ビットで地山を掘削するようになっている。
【００５１】
ノンコア削孔を行うにあたっては、例えば１５０〜２００ｍ先までの前方地山を対象とし、削孔機２２に備えられたセンサーから削孔速度Ｖを取得するとともに、該削孔速度を、それが得られたときのロッド２５の先端における基準位置からの距離ＬS（掘削深度）とともに、図示しないパソコン等の演算処理装置にデータ保存しておく。
【００５２】
ノンコア削孔が完了したならば、その経路に沿ったトンネル２１の掘進を行いながら、その掘進の進行に伴ってトンネル２１内に順次露出してくる切羽２３′を適当な間隔ごとに逐次観察する（ステップ１０２）。
【００５３】
切羽２３′の観察は、ハンマー打撃による圧縮強度の推定、風化変質、割れ目の状態や頻度あるいは方向性、湧水、水による劣化などを評価項目として行うとともに、それらの評価項目に重み付けを行った後、総合的な評価点を付ける形で行う。切羽２３′の観察結果は、それが得られたときの基準位置からの切羽の距離ＬKとともに、演算処理装置にデータ保存しておく。
【００５４】
トンネル掘削及びそれに伴う切羽の観察が完了したならば、次に、切羽２３′の観察結果に基づいて地山の性状が一定であるとみなし得るトンネル区間を距離減衰算出区間として決定する（ステップ１０３）。
【００５５】
図３(a)は、ノンコア削孔で得られた削孔速度Ｖを切羽２３′の観察結果とともに示したグラフであり、基準位置からの距離を横軸にとってある。
【００５６】
距離減衰算出区間を決定するにあたっては、切羽２３′ごとに得られた評価点（右側縦軸）が概ね同等の値である範囲として行う。同図の例においては、９０ｍから１９０ｍの範囲で切羽評価点が概ね同等であると考え、この区間を上述の距離減衰算出区間とする。
【００５７】
距離減衰算出区間が決定されたならば、次に、その区間における単位距離あたりの削孔速度Ｖの低下量を距離減衰比として評価する（ステップ１０４）。
【００５８】
削孔速度Ｖの低下量は、例えば距離減衰算出区間における削孔速度Ｖの実測データを最小二乗法等で直線近似し、その直線近似データの低下量として算出することが可能であり、図３(a)の例では、距離減衰算出区間における削孔速度Ｖの低下量が、０．２５ｍ／ｍｉｎと算出することができるので、単位距離あたりの削孔速度Ｖの低下量、すなわち距離減衰比ΔｋＶは、
距離減衰比ΔｋＶ＝０．２５ｍ／ｍｉｎ／１００ｍ
＝０．００２５ｍ／ｍｉｎ・ｍ
となる。
【００５９】
図３(b)は、補正後の削孔速度Ｖ′を補正前の削孔速度Ｖとともに示したグラフである。ここで、補正前の削孔速度Ｖは、例えば１５０ｍ以遠で値がかなり小さくなっているものの、その理由が距離減衰によるものなのか、それとも実際に地山が良好であるのか不明であり、あるいは８５ｍあたりの地山と９５ｍあたりの地山とでは、性状にどの程度差があるのか不明であるが、補正後の削孔速度Ｖ′においては距離減衰の影響が除かれているため、１５０ｍ以遠においても、１５０ｍ手前の地山と概ね同等の性状であることや、８５ｍあたりの地山と９５ｍあたりの地山とでは概ね同等の性状であることがわかる。
【００６０】
以上説明したように、本実施形態に係る削孔速度の距離減衰評価方法によれば、地山の性状が一定である範囲を定めてこれを距離減衰算出区間とし、その範囲における単位距離あたりの削孔速度Ｖの低下量を距離減衰比ΔｋＶとして把握することが可能となる。すなわち、削孔速度Ｖに距離減衰という変動要因がないと仮定した場合、地山性状が一定である限り、掘削深度が大きくなってもその値に変化はないはずであり、それゆえ、地山の性状が一定である範囲において削孔速度Ｖの変化量を調べれば、削孔深度Ｖにおける距離減衰を定量的に把握することができる。
【００６１】
また、本実施形態に係る削孔速度の距離減衰評価方法によれば、地山の性状が一定であるとみなし得るトンネル区間を切羽の観察結果に基づいて定めるようにしたので、実用性に優れた有用な手法となり得る。
【００６２】
（第２実施形態）
図４は、第２実施形態に係るトンネル切羽の前方探査方法の実施手順を示したフローチャートである。同図に示すように、本実施形態に係るトンネル切羽の前方探査方法においては、まず、第２の削孔現場においてノンコア先進ボーリングマシン等の削孔機２２をトンネル２１内に配置し、該削孔機を用いて切羽２３の前方地山２４に対するノンコア削孔を行うとともに、そのときの削孔速度Ｖを計測する（ステップ１１１）。計測を行う様子については、第２の削孔現場で行う点を除き、第１実施形態で説明した図２と同様であるので、ここでは図面を省略する。
【００６３】
ノンコア削孔を行うにあたっては、削孔機２２のロッドの仕様を、距離減衰比ΔｋＶが算出されたときのロッド２５の仕様に合わせる。
【００６４】
次に、削孔速度Ｖ及び距離減衰比ΔｋＶを、次式、
Ｖ′＝Ｖ＋Ｌ・ΔｋＶ
Ｖ  ；第２の削孔現場で得られたノンコア削孔における削孔速度
Ｌ  ；削孔速度Ｖが得られたときの掘削深度
Ｖ′；距離減衰で補正された削孔速度
に代入することにより、距離減衰で補正された削孔速度Ｖ′を算出する（ステップ１１２）。
【００６５】
以上説明したように、本実施形態に係るトンネル切羽の前方探査方法によれば、ノンコア削孔を行う際のロッドの仕様を、距離減衰比ΔｋＶが算出されたときのロッド２５の仕様に合わせることにより、第１の削孔現場とは異なる第２の削孔現場において、距離減衰比ΔｋＶを用いた削孔速度Ｖの距離減衰補正が可能となる。
【００６６】
すなわち、第１実施形態に係る削孔速度の距離減衰評価方法で算出された距離減衰比ΔｋＶは、ロッド２５の連結箇所におけるエネルギーロス、ロッド２５と孔壁との摩擦その他ロッド２５に起因するものであって、地山の良否の影響は除外されている。
【００６７】
そのため、距離減衰補正をあらたに行おうとする第２の削孔現場における削孔機２２のロッドの仕様を、第１の削孔現場において距離減衰比ΔｋＶが算出されたときのロッド２５の仕様に合わせるようにすれば、第２の削孔現場で得られた削孔速度に対する距離減衰補正が可能となり、かくして従来不可能であった削孔速度の距離減衰補正を定量的かつ汎用的に行うことが可能となる。
【００６８】
（第３実施形態）
図５は、第３実施形態に係るトンネル切羽の前方探査方法の実施手順を示したフローチャートである。同図に示すように、本実施形態に係るトンネル切羽の前方探査方法においては、まず、第３の削孔現場においてノンコア先進ボーリングマシン等の削孔機２２をトンネル２１内に配置し、該削孔機を用いて切羽２３の前方地山２４に対するノンコア削孔を行うとともに、そのときの削孔速度Ｖ1とフィード圧Ｆ1を計測する（ステップ１２１）。計測を行う様子については、第３の削孔現場で行う点を除き、第１実施形態で説明した図２と同様であるので、ここでは図面を省略する。
【００６９】
ノンコア削孔を行うにあたっては、削孔機２２のロッドの仕様を、距離減衰比ΔｋＶが算出されたときのロッド２５の仕様に合わせる。
【００７０】
次に、削孔速度Ｖ1及び距離減衰比ΔｋＶを、次式、
Ｖ′1＝Ｖ1＋Ｌ・ΔｋＶ
Ｖ1  ；第３の削孔現場で得られたノンコア削孔における削孔速度
Ｌ  ；削孔速度Ｖ1が得られたときの掘削深度
Ｖ′1；距離減衰で補正された削孔速度
に代入することにより、距離減衰で補正された削孔速度Ｖ′1を算出する（ステップ１２２）。
【００７１】
次に、フィード圧Ｆ1の変動量ΔＦ1と該変動量に対応する削孔速度Ｖ′1の変動量ΔＶ′1とを回帰分析して相関曲線を作成する（ステップ１２３）。
【００７２】
図６は、得られた相関曲線の一例を示したものであって、該相関曲線に示されたフィード圧Ｆ1の変動量ΔＦ1と該変動量に対応する削孔速度Ｖ′1の変動量ΔＶ′1との関係は、任意の地山に適用することができるため、別の削孔現場でノンコア削孔を行う際、削孔速度及びフィード圧を計測し、該フィード圧の基準フィード圧からの差分ΔＦを本実施形態の相関曲線に適用することで削孔速度の変動量ΔＶを求め、該変動量を、計測された削孔速度に加算又は減算することで、フィード圧の変動が考慮された修正削孔速度を算出するとともに、該修正削孔速度で切羽前方の地山性状を推定することができる。
【００７３】
以上説明したように、本実施形態に係るトンネル切羽の前方探査方法によれば、ノンコア削孔を行う際のロッドの仕様を、距離減衰比ΔｋＶが算出されたときのロッド２５の仕様に合わせることにより、第１の削孔現場とは異なる第３の削孔現場において、距離減衰比ΔｋＶで補正された削孔速度Ｖで相関曲線を作成することが可能となる。
【００７４】
そのため、削孔速度に関し、距離減衰補正に加えて、フィード圧の変動による修正を行うことが可能となり、切羽前方の地山性状をより的確に予測することが可能となる。
【００７５】
（第４実施形態）
図７は、第４実施形態に係るトンネル切羽の前方探査方法の実施手順を示したフローチャートである。同図に示すように、本実施形態に係るトンネル切羽の前方探査方法においては、まず、第４の削孔現場においてノンコア先進ボーリングマシン等の削孔機２２をトンネル２１内に配置し、該削孔機を用いて切羽２３の前方地山２４に対するノンコア削孔を行うとともに、そのときの削孔速度Ｖ2とフィード圧Ｆ2を計測する（ステップ１３１）。計測を行う様子については、第４の削孔現場で行う点を除き、第１実施形態で説明した図２と同様であるので、ここでは図面を省略する。
【００７６】
ノンコア削孔を行うにあたっては、削孔機２２のロッドの仕様を、距離減衰比ΔｋＶが算出されたときのロッド２５の仕様に合わせる。
【００７７】
次に、削孔速度Ｖ2及び距離減衰比ΔｋＶを、次式、
Ｖ′2＝Ｖ2＋Ｌ・ΔｋＶ
Ｖ2  ；第４の削孔現場で得られたノンコア削孔における削孔速度
Ｌ  ；削孔速度Ｖ2が得られたときの掘削深度
Ｖ′2；距離減衰で補正された削孔速度
に代入することにより、距離減衰で補正された削孔速度Ｖ′2を算出する（ステップ１３２）。
【００７８】
次に、フィード圧Ｆ2の基準フィード圧からの差分ΔＦ2を算出して該差分ΔＦ2を第３実施形態の相関曲線に適用することにより、削孔速度の変動量ΔＶ′2を算出した後、該変動量を削孔速度Ｖ′2に加算又は減算して修正削孔速度Ｖ′2Rを算出する（ステップ１３３）。
【００７９】
ここで、計測されたフィード圧Ｆ2が基準フィード圧よりも大きい場合には、削孔速度Ｖ′2は、基準フィード圧の下では減少すると考えて、削孔速度の変動量ΔＶ′2を削孔速度Ｖ′2から減じ、計測されたフィード圧Ｆ2が基準フィード圧よりも小さい場合には、削孔速度Ｖ′2は、基準フィード圧の下では増加すると考えて、削孔速度の変動量ΔＶ′2を削孔速度Ｖ′2に加えることで、それぞれ修正削孔速度Ｖ′2Rを求めればよい。
【００８０】
また、以下のステップをさらに実施することで、地山区分評価テーブルを作成することができる。すなわち、修正削孔速度Ｖ′2Rから最大値及び最小値を抽出し、これらの値を参考に上限閾値および下限閾値を設定する（ステップ１３４）。
【００８１】
次に、設定した閾値の範囲内に収まっている修正削孔速度Ｖ′2Rを対象とし、次式に定義される正規化削孔速度比Ｖ′2Nを求める（ステップ１３５）。
Ｖ′2N＝（修正削孔速度Ｖ′2R―下限閾値）／（上限閾値―下限閾値）
【００８２】
例えば、上限閾値を２，０００ｃｍ／ｍｉｎ、下限閾値を−１，０００ｃｍ／ｍｉｎとすれば、
Ｖ′2N＝（修正削孔速度Ｖ′2R＋1000）／3000
となる。ちなみに、上述した手順で正規化を行えば、正規化削孔速度比Ｖ′2Nは、各値が０から１の範囲に入ることとなる。
【００８３】
次に、正規化削孔速度比Ｖ′2N及びそのばらつき（ノイズの大小。ばらつきが少ない場合には岩盤の性状が比較的均質であり、ばらつきが多い場合には比較的不均質である）を、第４の削孔現場の地山区分に対応付けることで、地山区分評価テーブルを作成する（ステップ１３６）。
【００８４】
正規化削孔速度比Ｖ′2Nのばらつきは、例えば所定区間ごとの値が０．０５の変動幅に収まっている場合には小さく(Noiseless)、収まっていない場合には大きい(Noisey)と判断することができる。
【表１】
0005831683.tif 000002
【００８５】
作成された地山区分評価テーブルを表１に示す。
【００８６】
以上説明したように、本実施形態に係るトンネル切羽の前方探査方法によれば、ノンコア削孔を行う際のロッドの仕様を、距離減衰比ΔｋＶが算出されたときのロッド２５の仕様に合わせることにより、第１の削孔現場とは異なる第４の削孔現場において、距離減衰比ΔｋＶで補正された削孔速度Ｖでフィード圧変動が考慮された修正削孔速度Ｖ′2Rを算出するとともに、該修正削孔速度を用いて地山区分評価テーブルを作成することができる。
【００８７】
すなわち、削孔速度に関し、距離減衰補正に加えて、フィード圧の変動による修正がなされたものを得ることができるとともに、距離減衰補正及びフィード圧変動修正がなされた地山区分評価テーブルを作成することが可能となり、切羽前方の地山性状をより的確に予測することが可能となる。
【００８８】
（第５実施形態）
図８は、第５実施形態に係るトンネル切羽の前方探査方法の実施手順を示したフローチャートである。同図に示すように、本実施形態に係るトンネル切羽の前方探査方法においては、まず、第５の削孔現場においてノンコア先進ボーリングマシン等の削孔機２２をトンネル２１内に配置し、該削孔機を用いて切羽２３の前方地山２４に対するノンコア削孔を行うとともに、そのときの削孔速度Ｖ3とフィード圧Ｆ3を計測する（ステップ１４１）。計測を行う様子については、第５の削孔現場で行う点を除き、第１実施形態で説明した図２と同様であるので、ここでは図面を省略する。
【００８９】
ノンコア削孔を行うにあたっては、削孔機２２のロッドの仕様を、距離減衰比ΔｋＶが算出されたときのロッド２５の仕様に合わせる。
【００９０】
次に、削孔速度Ｖ3及び距離減衰比ΔｋＶを、次式、
Ｖ′3＝Ｖ3＋Ｌ・ΔｋＶ
Ｖ3  ；第５の削孔現場で得られたノンコア削孔における削孔速度
Ｌ  ；削孔速度Ｖ3が得られたときの掘削深度
Ｖ′3；距離減衰で補正された削孔速度
に代入することにより、距離減衰で補正された削孔速度Ｖ′3を算出する（ステップ１４２）。
【００９１】
次に、フィード圧Ｆ3の基準フィード圧からの差分ΔＦ3を算出して該差分ΔＦ3を第３実施形態の相関曲線に適用することにより、削孔速度の変動量ΔＶ′3を算出した後、該変動量を削孔速度Ｖ′3に加算又は減算して修正削孔速度Ｖ′3Rを算出する（ステップ１４３）。
【００９２】
次に、修正削孔速度Ｖ′3Rから最大値及び最小値を抽出し、これらの値を参考に上限閾値および下限閾値を設定する（ステップ１４４）。
【００９３】
次に、設定した閾値の範囲内に収まっている修正削孔速度Ｖ′3Rを対象とし、以下に定義される正規化削孔速度比Ｖ′3Nを求める（ステップ１４５）。
Ｖ3N＝（修正削孔速度Ｖ′3R―下限閾値）／（上限閾値―下限閾値）
【００９４】
例えば、上限閾値を２，０００ｃｍ／ｍｉｎ、下限閾値を−１，０００ｃｍ／ｍｉｎとすれば、
Ｖ′3N＝（修正削孔速度Ｖ′3R＋1000）／3000
となる。ちなみに、上述した手順で正規化を行えば、正規化削孔速度比Ｖ′3Nは、各値が０から１の範囲に入ることとなる。
【００９５】
次に、正規化削孔速度比Ｖ′3Nのばらつきが小さいか(Noiseless)、大きいか(Noisey)を第４実施形態と同様に判別する（ステップ１４６）。
【００９６】
次に、得られた正規化削孔速度比Ｖ′3Nのばらつきを、第４実施形態の手順で作成された地山区分評価テーブルに照合し、第５の削孔現場における地山区分を評価する（ステップ１４７）。
【００９７】
以上説明したように、本実施形態に係るトンネル切羽の前方探査方法によれば、ノンコア削孔を行う際のロッドの仕様を、距離減衰比ΔｋＶが算出されたときのロッド２５の仕様に合わせることにより、第１の削孔現場とは異なる第５の削孔現場において、距離減衰比ΔｋＶで補正された削孔速度Ｖでフィード圧変動が考慮された修正削孔速度Ｖ′3Rを算出するとともに、該修正削孔速度を用いて地山区分評価テーブルへの照合を行うことができる。
【００９８】
すなわち、削孔速度に関し、距離減衰補正に加えて、フィード圧の変動による修正がなされたものを得ることができるとともに、かかる削孔速度で算出された修正削孔速度Ｖ′3Rで地山区分評価テーブルとの照合を行うことが可能となり、切羽前方の地山性状をより的確に予測することが可能となる。
【図１】
0005831683.tif 000003
【図２】
0005831683.tif 000004
【図３】
0005831683.tif 000005
【図４】
0005831683.tif 000006
【図５】
0005831683.tif 000007
【図６】
0005831683.tif 000008
【図７】
0005831683.tif 000009
【図８】
0005831683.tif 000010